(57)【特許請求の範囲】
【請求項１】
平板素材を組み立てて構成可能な帽子であって，
縦長形状であり，一の短辺において折線（Ａ）を介して互いに連接した左右一対の支面パネル（１０，２０）と，
前記一対の支面パネル（１０，２０）それぞれの一方の長辺に対し，折線（Ｂ，Ｃ）を介して連接した左右一対の前面パネル（１１，２１）と，
前記一対の支面パネル（１０，２０）それぞれの他方の長辺に対し，折線（Ｄ，Ｅ）を介して連接した左右一対の後面パネル（１２，２２）と，
前記一対の前面パネル（１１，２１）のいずれか一方から折線（Ｆ）を介して延出し，前記一対の前面パネル（１１，２１）同士を連結するための前面接合片（３１）と，
前記一対の後面パネル（１２，２２）のいずれか一方から折線（Ｇ）を介して延出し，前記一対の後面パネル（１２，２２）同士を連結するための後面接合片（３２）と，
前記一対の前面パネル（１１，２１）のそれぞれに対し，折線（Ｈ，Ｉ）を介して連接した左右一対の額保護面パネル（１３，２３）と，
前記一対の額保護面パネル（１３，２３）のいずれか一方から折線（Ｊ）を介して延出し，前記一対の額保護面パネル（１３，２３）同士を連結するための額保護面接合片（３３）と，を有し，
前記一対の支面パネル（１０，２０）同士を連接する折線（Ａ），前記前面接合片（３１）が延出する折線（Ｆ），前記後面接合片（３２）が延出する折線（Ｇ），及び前記額保護面接合片（３３）が延出する折線（Ｊ）は，前記帽子の頂縁部を形成しており，
前記前面接合片（３１）は，前記一対の前面パネル（１１，２１）のいずれか一方を画定する辺のうち，展開状態において前記一対の前面パネル（１１，２１）の他方寄りの辺から延出するものであり，
前記後面接合片（３２）は，前記一対の後面パネル（１２，２２）のいずれか一方を画定する辺うち，展開状態において前記一対の後面パネル（１２，２２）の他方寄りの辺から延出するものであり，
少なくとも，前記一対の支面パネル（１０，２０）同士を連接する折線（Ａ），前記前面接合片（３１）が延出する折線（Ｆ），及び前記後面接合片（３２）が延出する折線（Ｇ）は繋がっている
帽子。
【請求項２】
前記一対の後面パネル（１２，２２）のそれぞれに対し，折線（Ｋ，Ｌ）を介して連接した左右一対の首保護面パネル（１４，２４）を，さらに有する
請求項１に記載の帽子。
【請求項３】
少なくとも外面側に，金属箔が貼合されている
請求項１又は請求項２に記載の帽子。
【請求項４】
内面側の複数箇所に，緩衝材（５０）が取り付けられている
請求項１から請求項３のいずれかに記載の帽子。
【請求項５】
平板素材を組み立てて構成可能な帽子用のブランクシートであって，
縦長形状であり，一の短辺において折線（Ａ）を介して互いに連接した左右一対の支面パネル（１０，２０）と，
前記一対の支面パネル（１０，２０）それぞれの一方の長辺に対し，折線（Ｂ，Ｃ）を介して連接した左右一対の前面パネル（１１，２１）と，
前記一対の支面パネル（１０，２０）それぞれの他方の長辺に対し，折線（Ｄ，Ｅ）を介して連接した左右一対の後面パネル（１２，２２）と，
前記一対の前面パネル（１１，２１）のいずれか一方から折線（Ｆ）を介して延出し，前記一対の前面パネル（１１，２１）同士を連結するための前面接合片（３１）と，
前記一対の後面パネル（１２，２２）のいずれか一方から折線（Ｇ）を介して延出し，前記一対の後面パネル（１２，２２）同士を連結するための後面接合片（３２）と，
前記一対の前面パネル（１１，２１）のそれぞれに対し，折線（Ｈ，Ｉ）を介して連接した左右一対の額保護面パネル（１３，２３）と，
前記一対の額保護面パネル（１３，２３）のいずれか一方から折線（Ｊ）を介して延出し，前記一対の額保護面パネル（１３，２３）同士を連結するための額保護面接合片（３３）と，を有し，
前記一対の支面パネル（１０，２０）同士を連接する折線（Ａ），前記前面接合片（３１）が延出する折線（Ｆ），前記後面接合片（３２）が延出する折線（Ｇ），及び前記額保護面接合片（３３）が延出する折線（Ｊ）は，前記帽子の頂縁部を形成するものであり，
前記前面接合片（３１）は，前記一対の前面パネル（１１，２１）のいずれか一方を画定する辺のうち，展開状態において前記一対の前面パネル（１１，２１）の他方寄りの辺から延出するものであり，
前記後面接合片（３２）は，前記一対の後面パネル（１２，２２）のいずれか一方を画定する辺うち，展開状態において前記一対の後面パネル（１２，２２）の他方寄りの辺から延出するものであり，
少なくとも，前記一対の支面パネル（１０，２０）同士を連接する折線（Ａ），前記前面接合片（３１）が延出する折線（Ｆ），及び前記後面接合片（３２）が延出する折線（Ｇ）は繋がっている
帽子用のブランクシート。
【発明の詳細な説明】
【技術分野】
【０００１】
本発明は，災害避難時などに使用される簡易組立式の帽子に関する。具体的に説明すると，本発明の帽子は，未使用時には折り畳み可能であり，災害避難時などに簡単に組み立て使用することができる。本発明は，例えば落下，飛散する火の粉やガラス片等から頭部を保護することを目的として使用される。
【背景技術】
【０００２】
従来から，折り畳んで使用することができる避難用の帽子として，例えば，特許文献１及び特許文献２に開示されるような種々の構造ものが知られている
【０００３】
例えば，特許文献１には，頭部を覆う所望の立体形状の展開図よりなる簡易組み立て帽子が開示されている。特許文献１の帽子は，展開図が平面要素の組み合わせよりなり，各要素は隣り合う要素と折り曲げヒンジを介して結合し，一端を所望の要素に固定し他の要素に設けた小孔を通る１〜複数本の紐を具備し，該紐を引いて絞ることにより，頭部を覆う立体形状となるように構成されている。
【０００４】
また，特許文献２には，発泡性合成樹脂等の緩衝材から成る簡易組立式保護帽が開示されている。特許文献２の簡易組立式保護帽は，全体として扁平状態をなし隣接同士が接合されている複数枚の帽体片と，これら帽体片全体の周辺部に形成した孔に挿通される紐部材からなる。そして，紐部材を絞り込んで帽体片全体の周辺部を相互に引き寄せ，略半球状の帽体を組み立てるように構成されている。
【０００５】
このように，避難用の帽子を厚紙や，ダンボール，又はプラスチック板等によって構成することにより，未使用時には平板状に折り畳んでオフィス等に常備したり，あるいは携帯することが容易になるとともに，製造コストを抑えることができる。また，このような帽子は，緊急時には簡単に組み立てて使用することができるため，防災具として有用性も高いことが知られている。
【先行技術文献】
【特許文献】
【０００６】
【特許文献１】特開２０１１−０２１２９０号公報
【特許文献２】特開２００１−１１５３２５号公報
【発明の概要】
【発明が解決しようとする課題】
【０００７】
しかしながら，上記した従来の組立式の帽子は，いずれも帽子を形成するパネルの点数が多いものであった。また，従来の組立式の帽子は，紐部材等を利用して各パネルを引き寄せて絞ることにより，頭部を覆う形状を構成することとしていた。このため，多数のパネルを適所で折り曲げた上で，紐部材を引いて各パネルを絞るという作業が必要となり，帽子を組み立てる手順が煩雑なものとなっていた。特に，例えば災害が発生した非常時において，装着者は冷静さを欠いた状態になることが多く，従来の組立式の帽子のようにパネルの点数が多い場合，その組み立て作業が困難になり実用性に劣るという問題があった。
【０００８】
さらに，従来の組立式の帽子は，装着者の頭頂部に面する部分が，基本的に一重のパネルにより構成されている。しかも，この頭頂部に面するパネルは，装着者の頭部の形に沿うように配置されている。従って，従来の帽子を装着しても，頭上から瓦礫などが落下してきた場合には，その落下の衝撃が装着者の頭部に対して直接的に伝達されてしまう。このように，従来の帽子は，緩衝性が低く装着者の安全を確実に確保できないという問題があった。
【０００９】
このため，現在では，少ないパネル点数で帽子を構成でき，使用時における組み立てが容易であり，しかも頭上からの落下物に対する緩衝性及び耐圧強度が十分に確保されている簡易組立式の帽子が求められている。
【課題を解決するための手段】
【００１０】
そこで，本発明の発明者は，従来発明の問題点を解決する手段について鋭意検討した結果，立体組立時おける帽子の上部に位置するパネルを二重構造として耐圧強度を向上させ，組立時における帽子の上部を尖らせて十分な緩衝性を確保するととともに，このような帽子を少ないパネル点数で設計することにより，使用時における組み立てが容易になるという知見を得た。そして，本発明者は，上記知見に基づけば，従来発明の課題を解決できることに想到し，本発明を完成させた。
具体的に説明すると，本発明は以下の構成を有する。
【００１１】
本発明の第１の側面は，平板素材を組み立てて構成可能な簡易組立式の帽子に関する。
本発明の帽子は，少なくとも，左右一対の支面パネル１０，２０，左右一対の前面パネル１１，２１，左右一対の後面パネル１２，２２，前面接合片３１，後面接合片３２，左右一対の額保護面パネル１３，２３，及び額保護面接合片３３を有し，これら１１枚のパネルにより帽子を構成可能である。
一対の支面パネル１０，２０は，縦長形状であり，一の短辺において折線Ａを介して互いに連接している。
一対の前面パネル１１，２１は，一対の支面パネル１０，２０それぞれの一方の長辺に対し，折線Ｂ，Ｃを介して連接している。
一対の後面パネル１２，２２は，一対の支面パネル１０，２０それぞれの他方の長辺に対し，折線Ｄ，Ｅを介して連接している。
前面接合片３１は，一対の前面パネル１１，２１のいずれか一方から折線Ｆを介して延出し，一対の前面パネル１１，２１同士を連結するために，例えば接着剤等が塗布される。
後面接合片３２は，一対の後面パネル１２，２２のいずれか一方から折線Ｇを介して延出し，一対の後面パネル１２，２２同士を連結するために，例えば接着剤等が塗布される。
一対の額保護面パネル１３，２３は，一対の前面パネル１１，２１のそれぞれに対し，折線Ｈ，Ｉを介して連接している。
また，額保護面接合片３３は，一対の額保護面パネル１３，２３のいずれか一方から折線Ｊを介して延出し，一対の額保護面パネル１３，２３同士を連結するために，接着剤等が塗布される。
そして，本発明の帽子は，一対の支面パネル１０，２０同士を連接する折線Ａ，前面接合片３１が延出する折線Ｆ，後面接合片３２が延出する折線Ｇ，及び額保護面接合片３３が延出する折線Ｊにより，帽子の頂縁部を形成する。
【００１２】
上記構成のように，本発明の帽子を組み立てると，一対の支面パネル１０，２０同士を連接する折線Ａ，前面接合片３１が延出する折線Ｆ，後面接合片３２が延出する折線Ｇ，及び額保護面接合片３３が延出する折線Ｊが帽子の頂縁部に位置する。このように，本発明の帽子は折線によって頂縁部が形成され，例えば「編笠」のように頂縁部が尖った形状となる。従って，装着者の頭部と帽子の頂縁部との間に空間が生まれ，この空間により頭上からの落下物に対する緩衝性が向上する。
また，本発明は，帽子の上部に，前面接合片３１と後面接合片３２が位置している。また，着用者の額を覆う位置には，額保護面接合片３３が位置している。これらの前面接合片３１，後面接合片３２，及び額保護面接合片３３は，一対の前面パネル１１，２１，一対の後面パネル１２，２２，及び一対の額保護面パネル１３，２３を連結するために接着剤等が塗布されるものであるため，その接合部分において，本発明の帽子は二重構造となる。このように，帽子の上部に二重構造となる部分が存在することにより，頭上からの落下物に対する耐圧強度が向上する。
さらに，本発明は，上述した通り，少なくとも１１枚のパネルにより帽子を構成可能である。このように，少ないパネル点数により帽子を構成することで，使用時における組み立てが容易になる。
従って，本発明によれば，使用時における組み立てが容易であり，十分な安全性を有する帽子を提供できる。
【００１３】
本発明の帽子は，左右一対の首保護面パネル１４，２４をさらに有することが好ましい。一対の首保護面パネル１４，２４は，一対の後面パネル１２，２２のそれぞれに対し，折線Ｋ，Ｌを介して連接している。
【００１４】
上記構成のように，一対の首保護面パネル１４，２４を設けることで，落下，飛散する火の粉やガラス片等から装着者の首元を保護することができるため，さらに安全性が向上する。
【００１５】
本発明の帽子は，少なくとも外面側に金属箔が貼合されていることが好ましい。
特に，金属箔は，帽子の外面全体に貼合されていることが好ましい。金属箔の例は，アルミニウム箔，金箔，又は銀箔等である。
【００１６】
上記構成のように，帽子の外面に金属箔を貼合することにより，例えば火の粉や水滴が帽子内部に侵入することを防止できるとともに，帽子の耐火性を向上させることができる。また，金属箔が暗闇における僅かな光を反射するため，本発明の帽子を装着した者の所在を確認し易くなる。このように，本発明の帽子に金属箔を貼合することで，例えば帽子をコストが安価な厚紙やダンボール等の可燃素材で形成したとしても，災害避難時に十分有効利用できるようになる。
【００１７】
本発明の帽子は，帽子本体の左側に設けられた通し孔に一端が挿通され，帽子本体の右側に設けられた通し孔に他端が挿通された顎紐４０と，この顎紐４０の中頃を二重にして挿入される筒状のストッパー４１を，さらに有することが好ましい。
【００１８】
上記構成のように，本発明の帽子に顎紐４０を取り付けることで，装着された帽子が不用意に頭部から外れにくくなる。
【００１９】
本発明の帽子は，内面側の複数箇所に緩衝材５０が取り付けられていることが好ましい。
【００２０】
上記構成のように，帽子内面の適所に複数の緩衝材５０を取り付けることで，落下物による頭部への衝撃と痛みを緩和できる。また，帽子内面に複数の緩衝材５０を取り付けることで，装着者の頭部の大きさや形状に制約されることのないフィット性の高い帽子を提供できる。
【００２１】
本発明の第２の側面は，平板素材を組み立てて構成可能な帽子用のブランクシートに関する。
本発明のブランクシートは，少なくとも，左右一対の支面パネル１０，２０，左右一対の前面パネル１１，２１，左右一対の後面パネル１２，２２，前面接合片３１，後面接合片３２，左右一対の額保護面パネル１３，２３，及び額保護面接合片３３を有し，これら１１枚のパネルにより帽子を構成可能である。
一対の支面パネル１０，２０は，縦長形状であり，一の短辺において折線Ａを介して互いに連接している。
一対の前面パネル１１，２１は，一対の支面パネル１０，２０それぞれの一方の長辺に対し，折線Ｂ，Ｃを介して連接している。
一対の後面パネル１２，２２は，一対の支面パネル１０，２０それぞれの他方の長辺に対し，折線Ｄ，Ｅを介して連接している。
前面接合片３１は，一対の前面パネル１１，２１のいずれか一方から折線Ｆを介して延出し，一対の前面パネル１１，２１同士を連結するために，例えば接着剤等が塗布される。
後面接合片３２は，一対の後面パネル１２，２２のいずれか一方から折線Ｇを介して延出し，一対の後面パネル１２，２２同士を連結するために，例えば接着剤等が塗布される。
一対の額保護面パネル１３，２３は，一対の前面パネル１１，２１のそれぞれに対し，折線Ｈ，Ｉを介して連接している。
また，額保護面接合片３３は，一対の額保護面パネル１３，２３のいずれか一方から折線Ｊを介して延出し，一対の額保護面パネル１３，２３同士を連結するために，接着剤等が塗布される。
そして，本発明の帽子は，一対の支面パネル１０，２０同士を連接する折線Ａ，前面接合片３１が延出する折線Ｆ，後面接合片３２が延出する折線Ｇ，及び額保護面接合片３３が延出する折線Ｊにより，帽子の頂縁部を形成する。
【発明の効果】
【００２２】
本発明は，帽子を組み立てると，一対の支面パネル１０，２０同士を連接する折線Ａ，前面接合片３１が延出する折線Ｆ，後面接合片３２が延出する折線Ｇ，及び額保護面接合片３３が延出する折線Ｊが帽子の頂縁部に位置する。従って，装着者の頭部と帽子の頂縁部との間に空間が生まれ，この空間により頭上からの落下物に対する緩衝性が向上する。
【００２３】
また，本発明は，帽子の上部に，前面接合片３１と後面接合片３２が位置している。また，着用者の額を覆う位置には，額保護面接合片３３が位置している。これらの前面接合片３１，後面接合片３２，及び額保護面接合片３３は，一対の前面パネル１１，２１，一対の後面パネル１２，２２，及び一対の額保護面パネル１３，２３を連結するために接着剤等が塗布されるものであるため，その接合部分において，本発明の帽子は二重構造となる。このように，帽子の上部に二重構造となる部分が存在することにより，頭上からの落下物に対する耐圧強度が向上する。
【００２４】
さらに，本発明は，少なくとも１１枚のパネルにより帽子を構成可能である。このように，少ないパネル点数により帽子を構成することで，使用時における組み立てが容易になる。
【図面の簡単な説明】
【００２５】
【図１】図１は，帽子のブランクシートを示す展開図であり，ブランクシートを帽子の外面側から見た状態を示している。
【図２】図２は，帽子のブランクシートを示す展開図であり，ブランクシートを帽子の内面側からみた状態を示している。
【図３】図３は，帽子が折り畳まれた状態を示す側面図である。図３（ａ）は，折り畳まれた帽子の右側面図であり，図３（ｂ）は，折り畳まれた帽子の左側面図である。
【図４】図４は，使用状態の帽子の示す斜視図である。図４（ａ）は，前面側からみた斜視図であり，図４（ｂ）は，後面側からみた斜視図である。
【図５】図５は，帽子を装着者の頭部に装着した状態の例を示す右側面図である。
【発明を実施するための形態】
【００２６】
以下，図面を用いて本発明を実施するための形態について説明する。本発明は，以下に説明する形態に限定されるものではなく，以下の形態から当業者が自明な範囲で適宜修正したものも含む。
なお，本願明細書において，「Ａ〜Ｂ」とは，「Ａ以上Ｂ以下」であることを意味する。
【００２７】
図１は，本発明の実施形態に係る帽子のブランクシート１´を示す展開図であり，ブランクシート１´を外面側から見た状態を示している。図２は，本発明の実施形態に係る帽子のブランクシート１´を示す展開図であり，ブランクシート１´を内面側からみた状態を示している。なお，図１において各点線は山折線を示しており，図２において一点鎖線は谷折線を示している。
また，図３は，ブランクシートを組み上げて帽子１を構成した状態を示しており，図３（ａ）は，組み上げられた帽子１の右側面図であり，図３（ｂ）は，組み上げられた帽子１の左側面図である。また，図４は，ブランクシートを組み上げて帽子１を構成した状態を示しており，図４（ａ）は，前面側からみた斜視図であり，図４（ｂ）は，後面側からみた斜視図である。
さらに，図５は，組み上げられた帽子１を頭部に装着した状態の例を示す右側面図である。
【００２８】
図１の展開図に示されるように，本発明の帽子１は，一枚の平板状のブランクシート１´を，各所に設けられた各折線に従って折り曲げることにより組み立てられる。ブランクシート１´は，公知の厚紙やダンボール等の紙製シート，又は耐熱性プラスチック等の平板を打ち抜いて加工し，所定の位置に折線を設けることにより形成できる。本発明の帽子１を構成するブランクシート１´は，厚紙を用いて形成されていることが好ましいが，上述した通り，ダンボールや耐熱性プラスチックシートを用いて形成されていてもよい。
【００２９】
本願明細書において，ブランクシートの縁や，ブランクシートに設けられた各種折線により囲まれて画定され，帽子の外形をなす領域を「パネル」と呼ぶ。図１に示されるように，本実施形態に係る帽子１は，一対の左支面パネル１０と右支面パネル２０，一対の左前面パネル１１と右前面パネル２１，一対の左後面パネル１２と右後面パネル２２，一対の左額保護面パネル１３と右額保護面パネル２３，及び一対の左首保護面パネル１４と右首保護面パネル２４を含む。
また，帽子１は，左右一対の前面パネル１１，２１同士を連結するための前面接合片３１と，左右一対の後面パネル１２，２２同士を連結するための後面接合片３２と，左右一対の額保護面パネル１３，２３同士を連結するための額保護面接合片３３と，を有している。
これらの各パネルと各接合片を各折線に沿って折り曲げ，各接合片に接着剤を塗布してパネルを連結することにより，帽子１が頭部に装着できる形状へと組み上がる。組み上げられた帽子１の状態は，図３〜５に示されている。
また，帽子１は，左右一対の紐掛けパネル１５，２５を有している。この一対の紐掛けパネル１５，２５には，通し孔１５ａ，２５ａが形成されており，この通し孔１５ａ，２５ａに一本の顎紐４０を挿入することができるようになっている。
【００３０】
まず，一対の左支面パネル１０と右支面パネル２０は，帽子１の装着時において，装着者の頭部の耳付近から，こめかみを通り，頭頂部にかかる部分を覆うパネルである。本実施形態において，一対の支面パネル１０，２０は，共に四角形状に形成され，線対称な形状となっている。一対の支面パネル１０，２０は，縦長の四角形状となっており，２つの短辺の両端を，２つの長辺によって結ぶことで画定されている。一対の支面パネル１０，２０は，頭部の耳付近から頭頂部にかけた部分を覆うものであることが好ましいため，一対の支面パネル１０，２０の長手方向の最大長さは，１５０ｍｍ〜３００ｍｍ，２００ｍｍ〜２８０ｍｍ，又は２００ｍｍ〜２５０ｍｍであることが好ましい。また，一対の支面パネル１０，２０の短手方向の最大幅は，３０ｍｍ〜１００ｍｍ，５０ｍｍ〜９０ｍｍ，又は６０ｍｍ〜８０ｍｍであることが好ましい。例えば，一対の支面パネル１０，２０の長手方向の最大長さは，短手方向の最大幅に対して，３００％〜６００％，４００％〜５００％，又は４５０％〜４８０％の値であることが好ましい。
【００３１】
なお，本実施形態において，一対の支面パネル１０，２０は縦長の四角形状となっているが，一対の支面パネル１０，２０は，例えば縦長の三角形状としたり，その他縦長の多角形状とすることもできる。
【００３２】
図１に示されるように，一対の支面パネル１０，２０は，一の短辺において，互いに連接している。一対の支面パネル１０，２０が連接する短辺は，第１の折線Ａとなっている。一対の支面パネル１０，２０の第１の折線Ａを介して山折りとされ，この第１の折線Ａは，図３〜５に示されるように，帽子１の頂縁部の一部を形成する。
【００３３】
また，図１に示されるように，左支面パネル１０の一方の長辺全体に対し，第２の折線Ｂを介して，左前面パネル１１が連接している。同様に，右支面パネル２０の一方の長辺全体に対し，第３の折線Ｃを介して，右前面パネル２１が連接している。
左右一対の前面パネル１１，２１は，帽子１の装着時において，装着者の前側の頭部を覆うパネルである。本実施形態において，一対の前面パネル１１，２１は，共に三角形状に形成され，線対称な形状となっている。図１に示されるように，一対の前面パネル１１，２１を形成する三角形は，全ての角が鋭角である鋭角三角形であることが好ましい。特に，第２の折線Ｂ及び第３の折線Ｃに対向する角θ１及びθ２は，６０度以上９０度未満であることが好ましい。これにより，一対の前面パネル１１，２１の面積を，装着者の前側の頭部を覆うことができる程度に広く確保することができる。
【００３４】
他方，図１に示されるように，左支面パネル１０の他方の長辺全体に対し，第４の折線Ｄを介して，左後面パネル１２が連接している。同様に，右支面パネル２０の他方の長辺全体に対し，第５の折線Ｅを介して，右後面パネル２２が連接している。
左右一対の後面パネル１２，２２は，帽子１の装着時において，装着者の後側の頭部を覆うパネルである。本実施形態において，一対の後面パネル１２，２２は，共に三角形状に形成され，線対称な形状となっている。図１に示されるように，一対の後面パネル１２，２２を形成する三角形は，全ての角が鋭角である鋭角三角形であることが好ましい。特に，第４の折線Ｄ及び第５の折線Ｅに対向する角θ３及びθ４は，６０度以上９０度未満であることが好ましい。これにより，一対の後面パネル１２，２２の面積を，装着者の後側の頭部を覆うことができる程度に広く確保することができる。
【００３５】
また，上記した一対の前面パネル１１，２１のうち，いずれか一方のパネルからは，前面接合片３１が延出する。前面接合片３１は，一対の前面パネル１１，２１同士を連結するために，接着剤等が塗布される片である。本実施形態において，前面接合片３１は，左前面パネル１１の一つの辺全体から，第６の折線Ｆを介して延出している。すなわち，前面接合片３１は，左前面パネル１１と右前面パネル２１とを連結するために，左前面パネル１１を画定する辺うち，右前面パネル２１寄りの辺から延出するものである。図１に示されるように，前面接合片３１が延出する第６の折線Ｆは，平行な２つの罫線により形成されているものであってもよい。左前面パネル１１と前面接合片３１を第６の折線Ｆに沿って山折にし，前面接合片３１の内面側に接着剤等を塗布して，接着剤等が塗布された面を，右前面パネル２１の外面側に接合することにより，左前面パネル１１と右前面パネル２１とが連結する。また，このとき，第６の折線Ｆは，図３〜５に示されるように，帽子１の頂縁部の一部を形成する。
【００３６】
また，上記した一対の後面パネル１２，２２のうち，いずれか一方のパネルからは，後面接合片３２が延出する。後面接合片３２は，一対の後面パネル１２，２２同士を連結するために，接着剤等が塗布される片である。本実施形態において，後面接合片３２は，左後面パネル１２の一つの辺全体から，第７の折線Ｇを介して延出している。すなわち，後面接合片３２は，左後面パネル１２と右後面パネル２２とを連結するために，左後面パネル１２を画定する辺うち，右後面パネル２２寄りの辺から延出するものである。図１に示されるように，後面接合片３２が延出する第７の折線Ｇは，平行な２つの罫線により形成されているものであってもよい。左後面パネル１２と後面接合片３２を第７の折線Ｇに沿って山折にし，後面接合片３２の内面側に接着剤等を塗布して，接着剤等が塗布された面を，右後面パネル２２の外面側に接合することにより，左後面パネル１２と右後面パネル２２とが連結する。また，このとき，第７の折線Ｇは，図３〜５に示されるように，帽子１の頂縁部の一部を形成する。
【００３７】
さらに，図１に示されるように，一対の左前面パネル１１及び右前面パネル２１の一の辺に対し，一対の左額保護面パネル１３及び右額保護面パネル２３が連接している。
左右一対の額保護面パネル１３，２３は，帽子１の装着時において，装着者の頭部の額部分を覆うパネルである。
図１に示されるように，まず，左額保護面パネル１３は，左前面パネル１１の一辺（右前面パネル２１から離間した側の辺）に対し，第８の折線Ｈを介して，連接している。また，右額保護面パネル２３は，右前面パネル２１の一辺（左前面パネル１１から離間した側の辺）に対し，第９の折線Ｉを介して，連接している。
一対の額保護面パネル１３，２３の形状は特に限定されないが，例えば，図１に示されるように一部の角が丸い略四角形状であってもよいし，三角形状であってもよい。一対の額保護面パネル１３，２３は，互いに線対称の形状であることが好ましい。
【００３８】
また，一対の額保護面パネル１３，２３のうち，いずれか一方のパネルからは，額保護面接合片３３が延出する。額保護面接合片３３は，一対の額保護面パネル１３，２３同士を連結するために，接着剤等が塗布される片である。本実施形態において，額保護面接合片３３は，左額保護面パネル１３の一つの辺全体から，第１０の折線Ｊを介して延出している。図１に示されるように，額保護面接合片３３が延出する第１０の折線Ｊは，平行な２つの罫線により形成されているものであってもよい。左額保護面パネル１３と額保護面接合片３３を第１０の折線Ｊに沿って山折にし，額保護面接合片３３の内面側に接着剤等を塗布して，接着剤等が塗布された面を，右額保護面パネル２３の外面側に接合することにより，左額保護面パネル１３と右額保護面パネル２３とが連結する。また，このとき，第１０の折線Ｊは，図３〜５に示されるように，帽子１の頂縁部の一部を形成する。
【００３９】
さらに，図１に示されるように，一対の左後面パネル１２及び右後面パネル２２の一の辺に対し，一対の左首保護面パネル１４及び右首保護面パネル２４が連接している。
左右一対の首保護面パネル１４，２４は，帽子１の装着時において，装着者の首部分を保護するパネルである。
図１に示されるように，まず，左首保護面パネル１４は，左後面パネル１２の一辺（右後面パネル２２から離間した側の辺）に対し，第１１の折線Ｋを介して，連接している。また，右首保護面パネル２４は，右後面パネル２２の一辺（左後面パネル１２から離間した側の辺）に対し，第１２の折線Ｌを介して，連接している。
一対の首保護面パネル１４，２４の形状は特に限定されないが，例えば，図１に示されるように一部の角が丸い略四角形状であってもよいし，三角形状であってもよい。一対の首保護面パネル１４，２４は，互いに線対称の形状であることが好ましい。
また，一対の首保護面パネル１４，２４は，それぞれ第１１の折線Ｋ及び第１２の折線Ｌを介してのみ帽子本体と連接しており，第１１の折線Ｋ及び第１２の折線Ｌに沿って独立して折れ曲がるようになっている。
【００４０】
さらに，図１に示されるように，左右一対の支面パネル１０，２０のうち，両者が互いに連接する短辺とは反対側の短辺に対し，左右一対の紐掛けパネル１５，２５が連接している。すなわち，左紐掛けパネル１５は，左支面パネル１０に対し，第１３の折線Ｍを介して連接している。また，右紐掛けパネル２５は，右支面パネル２０に対し，第１４の折線Ｎを介して連接している。一対の紐掛けパネル１５，２５のそれぞれには，その中央部に，通し孔１５ａ，２５ａが形成されている。これらの各通し孔１５ａ，２５ａには，一本の顎紐４０の端部が挿通される。
【００４１】
図４及び図５には，帽子１の本体に対し，顎紐４０が取付けられた状態の例が示されている。図４及び図５に示されるように，顎紐４０は，帽子１の本体を頭部の装着した状態で，装着者の顎下に垂れ下がる程度の十分な長さを有している。顎紐４０は，例えば，一方側の端部を，左紐掛けパネル１５の通し孔１５ａを介して，帽子本体の外側から内側に向かって挿通し，挿通された部分を玉結びにして，通し孔１５ａから外れないようにされている。また，顎紐４０は，他方側の端部を，右紐掛けパネル２５の通し孔２５ａを介して，帽子本体の外側から内側に向かって挿通し，挿通された部分を玉結びにして，通し孔２５ａから外れないようにされている。さらに，顎紐４０は，帽子１の本体に取付けられた状態で，その中頃が二重に重ねられ，重ねられた部分が筒状のストッパー４１に挿入されている。このため，図５に示されるように，ストッパー４１の取付け位置を，顎紐４０に沿って上下に移動させることにより，顎紐４０を緩めたり締めたりすることができる。
【００４２】
ここで，本実施形態において，帽子１を構成するブランクシート１´の外面（図１で図示された面）全体には，金属箔が貼合されている。金属箔とは，金属の展延性を利用して極めて薄い箔状に伸ばしたものである。金属箔としては，例えば，アルミニウム箔，金箔，銀箔，銅箔，錫箔，又はその他各種合金箔を使用することができ，特に，アルミニウム箔を使用することが好ましい。金属箔の厚みは，５μｍ〜２０μｍ程度とすることが好ましい。帽子の外面に金属箔を貼合することにより，例えば火の粉や水滴が帽子内部に侵入することを防止できるとともに，帽子の耐火性を向上させることができる。また，金属箔が暗闇における僅かな光を反射するため，本発明の帽子を装着した者の所在を確認し易くなる。
【００４３】
他方，図２には，本発明の帽子１を構成するブランクシート１´の内面側が示されている。図２に示されるように，本実施形態の帽子は，内面側の複数箇所に，緩衝材５０が取付けられている。本実施形態において，各緩衝材５０は，左支面パネル１０，左前面パネル１１，左後面パネル１２，左額保護面パネル１３，右支面パネル２０，右前面パネル２１，右後面パネル２２，及び右額保護面パネル２３のそれぞれに，１箇所ずつ（計８箇所）に，取付けられている。緩衝材５０には，公知の緩衝材を採用できる。緩衝材５０を形成する素材の例は，天然ゴム，合成ゴム，発泡スチロール，発泡ウレタン，又は発泡ポリエチレン等である。本実施形態において，緩衝材５０は，平面正方形に成型され，ブランクシート１´の内面側に接着剤や粘着シート等を利用して貼合されている。緩衝材５０としては，凹凸が付与されたプロファイル形状のものを好適に用いることができる。緩衝材５０の平均厚さは，５ｍｍ〜１５ｍｍ程度とすることが好ましい。また，緩衝材５０は，四方の長さが，例えば３０ｍｍ〜６０ｍｍ，又は４０ｍｍ〜５０ｍｍ程度となるように成型されたものを用いればよい。このように，帽子内面の適所に緩衝材５０を取り付けることで，帽子の衝撃吸収性を向上させることができる。
【００４４】
図１や図２に示されたブランクシート１´の状態から，一対の前面パネル１１，２１同士を前面接合片３１を介して連結し，一対の後面パネル１２，２２同士を後面接合片３２を介して連結し，一対の額保護面パネル１３，２３同士を額保護面接合片３３を介して連結することにより，図３（ａ）及び図３（ｂ）に示されるように，装着者の頭部に装着可能な帽子型に組み上がる。また，図３（ａ）（ｂ）に示されるように，本発明の帽子１は，収納状態においては，第１の折線Ａ，第６の折線Ｆ，第７の折線Ｇ，及び第１０の折線Ｊを境として，左側の本体と右側の本体とに分かれて二つ折りにされる。
【００４５】
また，図３に示された折り畳み状態から，各折線に従って各パネルを展開することにより，装着者の頭部を収容可能な空間が形成される。上述したように，本発明の帽子１は，単に２つ折りに折り畳まれているものであるため，その使用時には簡単に帽子型に展開することができる。使用可能状態の帽子の例は，図４（ａ）及び図４（ｂ）に示されている。本発明の帽子１は，例えば，未使用時には２つ折りにしてオフィス等にコンパクトに収納しておくことができ，災害が発生した場合などの緊急時には，一瞬にして防災頭巾のように展開し防災具として使用可能になる。
【００４６】
図５には，本発明の帽子１が頭部に装着された状態の例が示されている。なお，図５にでは，装着者の頭部と，帽子内面に取付けられた各緩衝材５０位置を透過的に描画している。
図５に示されるように，本発明の帽子１は，第１の折線Ａ，第６の折線Ｆ，第７の折線Ｇ，及び第１０の折線Ｊによって頂縁部が形成される。すなわち，本発明の帽子１は，装着時において，例えば「編笠」のように頂縁部が尖った形状となる。また，各緩衝材５０によって，帽子１が頭部にしっかりと固定されている。また，図５に示されるように，着用者の頭部の頭頂部と帽子１の頂縁部の間には，空間が形成されており，この空間により，頭上からの落下物に対する十分な緩衝性が確保されている。さらには，帽子１の頂縁部近傍には，前面接合片３１，後面接合片３２，及び額保護面接合片３３が位置しており，帽子１は，各接合片が位置する部分において二重構造となっている。この二重構造となっている部分は耐圧強度が最も強い部分であり，この耐圧強度が最も強い部分を装着者の頭上に位置させることにより，仮に頭上から落下物が帽子１に衝撃を与えたとしても，装着者の安全を確保することができる。
【００４７】
本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００４８】
本発明は，災害避難時などに使用される簡易組立式の帽子に関する。本発明は，例えば厚紙やダンボール等により形成された平板状のブランクシートを組み上げることで，帽子型となる。このため，本発明は，例えば製紙産業及び紙材加工産業において好適に利用し得る。
【符号の説明】
【００４９】
１        帽子
１´      ブランクシート
１０      左支面パネル
１１      左前面パネル
１２      左後面パネル
１３      左額保護面パネル
１４      左首保護面パネル
１５      左紐掛けパネル
１５ａ    通し孔
２０      右支面パネル
２１      右前面パネル
２２      右後面パネル
２３      右額保護面パネル
２４      右首保護面パネル
２５      右紐掛けパネル
２５ａ    通し孔
３１      前面接合片
３２      後面接合片
３３      額保護面接合片
４０      顎紐
４１      ストッパー
５０      緩衝材
Ａ〜Ｎ    折線
【図１】
0005801758.tif 000002
【図２】
0005801758.tif 000003
【図３】
0005801758.tif 000004
【図４】
0005801758.tif 000005
【図５】
0005801758.tif 000006